【手続補正書】
【提出日】平成16年12月2日(2004.12.2)
【手続補正１】
【補正対象書類名】明細書
【補正対象項目名】特許請求の範囲
【補正方法】変更
【補正の内容】
【特許請求の範囲】
【請求項１】
撮像手段によって得られた撮影画像データの記録媒体に対する記録処理及び再生処理を行う画像処理装置であって、
撮影時及び再生時の前記画像処理装置の姿勢状態を検知する姿勢検知手段と、
前記姿勢検知手段により得られた撮影時の姿勢状態情報を、当該撮影によって得られた撮影画像データと共に前記記録媒体に記録する記録手段と、
前記記録媒体に記録された撮影画像データに対して画像回転処理を行う画像回転手段と、
前記姿勢検知手段により得られた再生時の姿勢状態情報、及び前記記録媒体に記録された撮影時姿勢状態情報に基づいて、当該撮影時姿勢状態情報と共に前記記録媒体に記録された撮影画像データの前記画像回転処理を制御して再生処理を行う再生手段とを備えることを特徴とする画像処理装置。
【請求項２】
前記記録媒体に記録された撮影画像データに対して画像変倍処理を行う画像変倍手段を備え、
前記再生手段は、前記姿勢検知手段により得られた再生時の姿勢状態情報、及び前記記録媒体に記録された撮影時姿勢状態情報に基づいて、当該撮影時姿勢状態情報と共に前記記録媒体に記録された撮影画像データの前記画像変倍処理及び前記画像回転処理を制御して再生処理を行うことを特徴とする請求項１に記載の画像処理装置。
【請求項３】
前記姿勢検知手段により得られた再生時の姿勢状態情報と、前記記録媒体に記録された前記撮像手段の撮影時姿勢状態情報とが合致するか否かを判定する判定手段と、
前記判定手段での判定結果に基づいて、前記記録媒体に記録された撮影画像データ、及び前記記録媒体に記録された撮影画像データの前記画像変倍処理及び前記画像回転処理が前記再生手段により制御された当該撮影画像データの何れかを表示手段に表示させる表示制御手段とを備えることを特徴とする請求項２に記載の画像処理装置。
【請求項４】
前記表示制御手段は、前記判定手段において、前記姿勢検知手段により得られた再生時の姿勢状態情報と、前記記録媒体に記録された撮影時姿勢状態情報とが合致しない場合に、前記再生手段により制御された当該撮影画像データを表示手段に表示させることを特徴とする請求項３に記載の画像処理装置。
【請求項５】
前記記録手段及び前記再生手段において、画像記録時または画像再生時に前記姿勢検知手段により得られる姿勢状態情報に基づいた処理を行うか否かの動作モードを設定するモード設定手段を備えることを特徴とする請求項１又は２に記載の画像処理装置。
【請求項６】
前記姿勢検知手段は、前記撮像手段が縦構図撮影姿勢状態であるか横構図撮影姿勢状態であるかを少なくとも検知し、
前記画像回転処理は、前記縦構図撮影姿勢状態と前記横構図撮影姿勢状態の何れかに対応した方向による前記表示手段での表示がなされるように、前記撮影画像データを回転させる処理を含むことを特徴とする請求項３に記載の画像処理装置。
【請求項７】
前記撮影画像データは、動画像データ及び静止画像データの少なくとも何れかを含むことを特徴とする請求項１又は２に記載の画像処理装置。
【請求項８】
前記画像変倍手段は、表示手段に画像全体が表示されるように変倍することを特徴とする請求項２に記載の画像処理装置。
【請求項９】
撮像手段と、
前記撮像手段からの撮像画像データ又は再生中の画像データを表示する表示手段と、
前記撮像手段の姿勢状態を検知する姿勢検知手段と、
前記姿勢検知手段で検知した前記撮像手段の姿勢状態情報と共に、前記撮像手段で撮像した画像を記録媒体に記録する記録手段と、
前記記録媒体から読み込んだ画像を再生する際には、前記姿勢状態情報に応じて、読み込んだ画像を回転させて前記表示手段に表示し、撮影直後所定時間の間、撮影した画像を表示状態にしておくクイックレビューの際には、前記姿勢状態情報に関わらず、画像を回転させずに表示させるよう制御する表示制御手段とを備えることを特徴とする画像処理装置。
【請求項１０】
前記姿勢検知手段により得られた再生時の姿勢状態情報と、前記記憶手段に記憶された撮影時姿勢状態情報とが合致するか否かを判定する判定手段と、
前記判定手段での判定結果に基づいて、前記撮影時姿勢状態情報と関連付けられて前記記憶手段に記憶された撮影画像データに対して画像回転処理を行う画像回転手段とを備え、
前記表示制御手段は、前記判定手段での判定結果に基づいて、前記記憶手段に記憶された撮影画像データ、及び前記記憶手段に記憶された撮影画像データが前記画像回転手段により画像回転処理された該撮影画像データの何れかを表示するよう制御することを特徴とする請求項９に記載の画像処理装置。
【請求項１１】
前記姿勢検知手段は、前記撮像手段が縦構図撮影姿勢状態であるか横構図撮影姿勢状態であるかを少なくとも検知し、
前記画像回転手段は、前記縦構図撮影姿勢状態と前記横構図撮影姿勢状態の何れかに対応した方向による前記表示手段での表示がなされるように、前記撮影画像データを回転させることを特徴とする請求項９に記載の画像処理装置。
【請求項１２】
前記撮影画像データは、動画像データ及び静止画像データの少なくとも何れかを含むことを特徴とする請求項９に記載の画像処理装置。
【請求項１３】
撮像手段によって得られた撮影画像データの記録媒体に対する記録処理及び再生処理を行う画像処理装置であって、
撮影時及び再生時の前記画像処理装置の姿勢状態を示す情報を入力する姿勢情報入力手段と、
前記姿勢情報入力手段により入力された撮影時の姿勢状態情報を、当該撮影によって得られた撮影画像データと共に前記記録媒体に記録する記録手段と、
前記記録媒体に記録された撮影画像データに対して画像回転処理を行う画像回転手段と、
前記姿勢情報入力手段により入力された再生時の姿勢状態情報、及び前記記録媒体に記録された撮影時姿勢状態情報に基づいて、当該撮影時姿勢状態情報と共に前記記録媒体に記録された撮影画像データの回転処理を制御して再生処理を行う再生手段とを備えることを特徴とする画像処理装置。
【請求項１４】
撮像手段と、
前記撮像手段からの撮像画像データ又は再生中の画像データを表示する表示手段と、
前記撮像手段の姿勢状態を示す情報を入力する姿勢情報入力手段と、
前記姿勢情報入力手段により入力された前記撮像手段の姿勢状態情報と共に、前記撮像手段で撮像した画像を記録媒体に記録する記録手段と、
前記記録媒体から読み込んだ画像を再生する際には、前記姿勢状態情報に応じて、読み込んだ画像を回転させて前記表示手段に表示し、撮影直後所定時間の間、撮影した画像を表示状態にしておくクイックレビューモードの際には、前記姿勢状態情報に関わらず、画像を回転させずに表示させるよう制御する表示制御手段とを備えることを特徴とする画像処理装置。
【請求項１５】
複数の機器が通信可能に接続されてなる画像処理システムであって、
前記複数の機器のうち少なくとも１つの機器は、請求項１〜１４の何れか１項に記載の画像処理装置の機能を有することを特徴とする画像処理システム。
【請求項１６】
撮像手段によって得られた撮影画像データの記録媒体に対する記録処理及び再生処理を行うための画像処理制御方法であって、
撮影時及び再生時の前記撮像手段の姿勢状態を検知する姿勢検知ステップと、
前記姿勢検知ステップにより得られた撮影時の姿勢状態情報を、当該撮影によって得られた撮影画像データと共に前記記録媒体に記録する記録ステップと、
前記記録媒体に記録された撮影画像データに対して画像回転処理を行う画像回転ステップと、
前記姿勢検知ステップにより得られた再生時の姿勢状態情報、及び前記記録媒体に記録された撮影時姿勢状態情報に基づいて、当該撮影時姿勢状態情報と共に前記記録媒体に記録された撮影画像データの前記画像回転処理を制御して再生処理を行う再生ステップとを含むことを特徴とする画像処理制御方法。
【請求項１７】
前記記録媒体に記録された撮影画像データに対して画像変倍処理を行う画像変倍ステップを含み、
前記再生ステップは、前記姿勢検知ステップにより得られた再生時の姿勢状態情報、及び前記記録媒体に記録された撮影時姿勢状態情報に基づいて、当該撮影時姿勢状態情報と共に前記記録媒体に記録された撮影画像データの前記画像変倍処理及び前記画像回転処理を制御して再生処理を行うことを特徴とする請求項１６に記載の画像処理制御方法。
【請求項１８】
前記姿勢検知ステップにより得られた再生時の姿勢状態情報と、前記記録媒体に記録された撮影時姿勢状態情報とが合致するか否かを判定する判定ステップと、
前記判定ステップでの判定結果に基づいて、前記記録媒体に記録された撮影画像データ、及び前記記録媒体に記録された撮影画像データを前記再生ステップにより制御された当該撮影画像データの何れかを表示手段に表示させる表示制御ステップとを含み、
前記画像回転ステップ及び前記画像変倍ステップはそれぞれ、前記判定ステップでの判定結果に基づいて処理実行するステップを含むことを特徴とする請求項１７に記載の画像処理制御方法。
【請求項１９】
前記表示制御ステップは、前記姿勢検知ステップにより得られた再生時の姿勢状態情報と、前記記録媒体に記録された撮影時姿勢状態情報とが前記判定ステップにより合致しないと判定された場合に、前記再生ステップにより制御された当該撮影画像データを表示手段に表示させることを特徴とする請求項１８に記載の画像処理制御方法。
【請求項２０】
前記記録ステップ及び前記再生ステップにおいて、前記姿勢検知ステップにより得られる姿勢状態情報に基づいた処理を行うか否かの動作モードを設定するモード設定ステップを含むことを特徴とする請求項１６又は１７に記載の画像処理制御方法。
【請求項２１】
前記記録ステップでの記録データが記憶された記憶手段内の撮影画像データの表示を行う表示ステップを含むことを特徴とする請求項１６又は１７に記載の画像処理制御方法。
【請求項２２】
前記姿勢検知ステップは、前記撮像手段が縦構図撮影姿勢状態であるか横構図撮影姿勢状態であるかを少なくとも検知するステップを含み、
前記画像回転ステップは、前記縦構図撮影姿勢状態と前記横構図撮影姿勢状態の何れかに対応した方向による前記表示手段での表示がなされるように、前記撮影画像データを回転させるステップを含むことを特徴とする請求項１８に記載の画像処理制御方法。
【請求項２３】
前記撮影画像データは、動画像データ及び静止画像データの少なくとも何れかを含むことを特徴とする請求項１６又は１７に記載の画像処理制御方法。
【請求項２４】
前記記録ステップ及び前記再生ステップにおいて、画像記録時又は画像再生時に前記姿勢検知ステップにより得られる姿勢状態情報に基づいた処理を行うか否かの動作モードを設定するモード設定ステップを含むことを特徴とする請求項１６又は１７に記載の画像処理制御方法。
【請求項２５】
前記画像変倍ステップは、表示手段に画像全体が表示されるように変倍することを特徴とする請求項１７に記載の画像処理制御方法。
【請求項２６】
撮像手段により画像撮像する撮像ステップと、
前記撮像ステップにより得られた撮像画像データ又は再生中の画像データを表示する表示ステップと、
前記撮像手段の姿勢状態を検知する姿勢検知ステップと、
前記姿勢検知ステップにより検知された前記撮像手段の姿勢状態情報と共に、前記撮像ステップにより得られた撮像画像データを記録手段に記録する記録ステップと、
前記記録手段から読み込んだ画像を再生する際には、前記姿勢状態情報に応じて、読み込んだ画像を回転させて表示し、撮影直後所定時間の間、撮影した画像を表示状態にしておくクイックレビューの際には、前記姿勢状態情報に関わらず、画像を回転させずに表示させるよう制御する表示制御ステップとを含むことを特徴とする画像処理制御方法。
【請求項２７】
前記姿勢検知手段により得られた再生時の姿勢状態情報と、前記記憶手段に記憶された撮影時姿勢状態情報とが合致するか否かを判定する判定ステップと、
前記判定ステップでの判定結果に基づいて、前記撮影時姿勢状態情報と関連付けられて前記記憶手段に記憶された撮影画像データに対して画像回転処理を行う画像回転ステップとを含み、
前記表示制御ステップは、前記判定ステップでの判定結果に基づいて、前記記憶手段に記憶された撮影画像データ、及び前記記憶手段に記憶された撮影画像データが前記画像回転ステップにより画像回転処理された該撮影画像データの何れかを表示するよう制御するステップを含むことを特徴とする請求項２６に記載の画像処理制御方法。
【請求項２８】
前記姿勢検知ステップは、前記撮像手段が縦構図撮影姿勢状態であるか横構図撮影姿勢状態であるかを少なくとも検知するステップを含み、
前記画像回転ステップは、前記縦構図撮影姿勢状態と前記横構図撮影姿勢状態の何れかに対応した方向による表示がなされるように、前記撮影画像データを回転させるステップを含むことを特徴とする請求項２６に記載の画像処理制御方法。
【請求項２９】
前記撮影画像データは、動画像データ及び静止画像データの少なくとも何れかを含むことを特徴とする請求項２６に記載の画像処理制御方法。
【請求項３０】
撮像手段によって得られた撮影画像データの記録媒体に対する記録処理及び再生処理を行うための画像処理制御方法であって、
撮影時及び再生時の前記撮像手段の姿勢状態を示す情報を入力する姿勢情報入力手段と、
前記姿勢情報入力手段により入力された撮影時の姿勢状態情報を、当該撮影によって得られた撮影画像データと共に前記記録媒体に記録する記録手段と、
前記記録媒体に記録された撮影画像データに対して画像回転処理を行う画像回転手段と、
前記姿勢情報入力手段により入力された再生時の姿勢状態情報、及び前記記録媒体に記録された撮影時姿勢状態情報に基づいて、当該撮影時姿勢状態情報と共に前記記録媒体に記録された撮影画像データの回転処理を制御して再生処理を行う再生ステップとを含むことを特徴とする画像処理制御方法。
【請求項３１】
撮像手段により画像撮像する撮像ステップと、
前記撮像手段からの撮像画像データ又は再生中の画像データを表示する表示ステップと、
前記撮像手段の姿勢状態を示す情報を入力する姿勢情報入力ステップと、
前記姿勢情報入力ステップにより入力された前記撮像手段の姿勢状態情報と共に、前記撮像手段で撮像した画像を記録手段に記録する記録ステップと、
前記記録手段から読み込んだ画像を再生する際には、前記姿勢状態情報に応じて、読み込んだ画像を回転させて表示し、撮影直後所定時間の間、撮影した画像を表示状態にしておくクイックレビューモードの際には、前記姿勢状態情報に関わらず、画像を回転させずに表示させるよう制御する表示制御ステップとを含むことを特徴とする画像処理制御方法。
【請求項３２】
前記請求項１６〜３１の何れか１項に記載の画像処理制御方法のステップをコンピュータに実行させるためのコンピュータプログラムを記憶したことを特徴とするコンピュータ読み取り可能な記憶媒体。
【手続補正２】
【補正対象書類名】明細書
【補正対象項目名】０００１
【補正方法】変更
【補正の内容】
【０００１】
【発明の属する技術分野】
本発明は、例えば、静止画像や動画像を撮像、記録、再生するための画像処理装置、画像処理制御方法、画像処理システム、及びコンピュータ読み取り可能な記憶媒体に関するものである。
【手続補正３】
【補正対象書類名】明細書
【補正対象項目名】００１０
【補正方法】変更
【補正の内容】
【００１０】
【課題を解決するための手段】
本発明の画像処理装置は、撮像手段によって得られた撮影画像データの記録媒体に対する記録処理及び再生処理を行う画像処理装置であって、撮影時及び再生時の前記画像処理装置の姿勢状態を検知する姿勢検知手段と、前記姿勢検知手段により得られた撮影時の姿勢状態情報を、当該撮影によって得られた撮影画像データと共に前記記録媒体に記録する記録手段と、前記記録媒体に記録された撮影画像データに対して画像回転処理を行う画像回転手段と、前記姿勢検知手段により得られた再生時の姿勢状態情報、及び前記記録媒体に記録された撮影時姿勢状態情報に基づいて、当該撮影時姿勢状態情報と共に前記記録媒体に記録された撮影画像データの前記画像回転処理を制御して再生処理を行う再生手段とを備えることを特徴とする。
【手続補正４】
【補正対象書類名】明細書
【補正対象項目名】００１１
【補正方法】変更
【補正の内容】
【００１１】
また、本発明の他の画像処理装置は、撮像手段と、前記撮像手段からの撮像画像データ又は再生中の画像データを表示する表示手段と、前記撮像手段の姿勢状態を検知する姿勢検知手段と、前記姿勢検知手段で検知した前記撮像手段の姿勢状態情報と共に、前記撮像手段で撮像した画像を記録媒体に記録する記録手段と、前記記録媒体から読み込んだ画像を再生する際には、前記姿勢状態情報に応じて、読み込んだ画像を回転させて前記表示手段に表示し、撮影直後所定時間の間、撮影した画像を表示状態にしておくクイックレビューの際には、前記姿勢状態情報に関わらず、画像を回転させずに表示させるよう制御する表示制御手段とを備えることを特徴とする。
【手続補正５】
【補正対象書類名】明細書
【補正対象項目名】００１２
【補正方法】変更
【補正の内容】
【００１２】
また、本発明のその他の画像処理装置は、撮像手段によって得られた撮影画像データの記録媒体に対する記録処理及び再生処理を行う画像処理装置であって、撮影時及び再生時の前記画像処理装置の姿勢状態を示す情報を入力する姿勢情報入力手段と、前記姿勢情報入力手段により入力された撮影時の姿勢状態情報を、当該撮影によって得られた撮影画像データと共に前記記録媒体に記録する記録手段と、前記記録媒体に記録された撮影画像データに対して画像回転処理を行う画像回転手段と、前記姿勢情報入力手段により入力された再生時の姿勢状態情報、及び前記記録媒体に記録された撮影時姿勢状態情報に基づいて、当該撮影時姿勢状態情報と共に前記記録媒体に記録された撮影画像データの回転処理を制御して再生処理を行う再生手段とを備えることを特徴とする。
【手続補正６】
【補正対象書類名】明細書
【補正対象項目名】００１３
【補正方法】変更
【補正の内容】
【００１３】
また、本発明のその他の画像処理装置は、撮像手段と、前記撮像手段からの撮像画像データ又は再生中の画像データを表示する表示手段と、前記撮像手段の姿勢状態を示す情報を入力する姿勢情報入力手段と、前記姿勢情報入力手段により入力された前記撮像手段の姿勢状態情報と共に、前記撮像手段で撮像した画像を記録媒体に記録する記録手段と、前記記録媒体から読み込んだ画像を再生する際には、前記姿勢状態情報に応じて、読み込んだ画像を回転させて前記表示手段に表示し、撮影直後所定時間の間、撮影した画像を表示状態にしておくクイックレビューモードの際には、前記姿勢状態情報に関わらず、画像を回転させずに表示させるよう制御する表示制御手段とを備えることを特徴とする。
【手続補正７】
【補正対象書類名】明細書
【補正対象項目名】００１４
【補正方法】変更
【補正の内容】
【００１４】
本発明の画像処理システムは、複数の機器が通信可能に接続されてなる画像処理システムであって、前記複数の機器のうち少なくとも１つの機器は、前記画像処理装置の機能を有することを特徴とする。
【手続補正８】
【補正対象書類名】明細書
【補正対象項目名】００１５
【補正方法】変更
【補正の内容】
【００１５】
本発明の画像処理制御方法は、撮像手段によって得られた撮影画像データの記録媒体に対する記録処理及び再生処理を行うための画像処理制御方法であって、撮影時及び再生時の前記撮像手段の姿勢状態を検知する姿勢検知ステップと、前記姿勢検知ステップにより得られた撮影時の姿勢状態情報を、当該撮影によって得られた撮影画像データと共に前記記録媒体に記録する記録ステップと、前記記録媒体に記録された撮影画像データに対して画像回転処理を行う画像回転ステップと、前記姿勢検知ステップにより得られた再生時の姿勢状態情報、及び前記記録媒体に記録された撮影時姿勢状態情報に基づいて、当該撮影時姿勢状態情報と共に前記記録媒体に記録された撮影画像データの前記画像回転処理を制御して再生処理を行う再生ステップとを含むことを特徴とする。
【手続補正９】
【補正対象書類名】明細書
【補正対象項目名】００１６
【補正方法】変更
【補正の内容】
【００１６】
また、本発明の他の画像処理制御方法は、撮像手段により画像撮像する撮像ステップと、前記撮像ステップにより得られた撮像画像データ又は再生中の画像データを表示する表示ステップと、前記撮像手段の姿勢状態を検知する姿勢検知ステップと、前記姿勢検知ステップにより検知された前記撮像手段の姿勢状態情報と共に、前記撮像ステップにより得られた撮像画像データを記録手段に記録する記録ステップと、前記記録手段から読み込んだ画像を再生する際には、前記姿勢状態情報に応じて、読み込んだ画像を回転させて表示し、撮影直後所定時間の間、撮影した画像を表示状態にしておくクイックレビューの際には、前記姿勢状態情報に関わらず、画像を回転させずに表示させるよう制御する表示制御ステップとを含むことを特徴とする。
【手続補正１０】
【補正対象書類名】明細書
【補正対象項目名】００１７
【補正方法】変更
【補正の内容】
【００１７】
また、本発明のその他の画像処理制御方法は、撮像手段によって得られた撮影画像データの記録媒体に対する記録処理及び再生処理を行うための画像処理制御方法であって、撮影時及び再生時の前記撮像手段の姿勢状態を示す情報を入力する姿勢情報入力手段と、前記姿勢情報入力手段により入力された撮影時の姿勢状態情報を、当該撮影によって得られた撮影画像データと共に前記記録媒体に記録する記録手段と、前記記録媒体に記録された撮影画像データに対して画像回転処理を行う画像回転手段と、前記姿勢情報入力手段により入力された再生時の姿勢状態情報、及び前記記録媒体に記録された撮影時姿勢状態情報に基づいて、当該撮影時姿勢状態情報と共に前記記録媒体に記録された撮影画像データの回転処理を制御して再生処理を行う再生ステップとを含むことを特徴とする。
【手続補正１１】
【補正対象書類名】明細書
【補正対象項目名】００１８
【補正方法】変更
【補正の内容】
【００１８】
また、本発明のその他の画像処理制御方法は、撮像手段により画像撮像する撮像ステップと、前記撮像手段からの撮像画像データ又は再生中の画像データを表示する表示ステップと、前記撮像手段の姿勢状態を示す情報を入力する姿勢情報入力ステップと、前記姿勢情報入力ステップにより入力された前記撮像手段の姿勢状態情報と共に、前記撮像手段で撮像した画像を記録手段に記録する記録ステップと、前記記録手段から読み込んだ画像を再生する際には、前記姿勢状態情報に応じて、読み込んだ画像を回転させて表示し、撮影直後所定時間の間、撮影した画像を表示状態にしておくクイックレビューモードの際には、前記姿勢状態情報に関わらず、画像を回転させずに表示させるよう制御する表示制御ステップとを含むことを特徴とする。
【手続補正１２】
【補正対象書類名】明細書
【補正対象項目名】００１９
【補正方法】変更
【補正の内容】
【００１９】
本発明のコンピュータ読み取り可能な記憶媒体は、前記記載の画像処理制御方法のステップをコンピュータに実行させるためのコンピュータプログラムを記憶したことを特徴とする。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】０３１３
【補正方法】変更
【補正の内容】
【０３１３】
【発明の効果】
以上説明したように本発明では、撮影時においては、撮影時の撮像手段の姿勢状態（撮像手段が設けられている装置又はシステムの姿勢状態）を検知し、その検知結果（撮影時姿勢状態情報）を、その撮影時に得られた撮影画像データと共に記録媒体に記録又は記憶手段に記憶する。この撮影画像データを再生するときには、このときの撮像手段の姿勢状態を検知し、その検知結果（再生時姿勢状態情報）と、上記撮影画像データと共に記録又は記憶された撮影時姿勢状態情報とが合致しているか否かを判定する。
この判定の結果が、それぞれの情報が合致していなかった場合には、上記撮影画像データが正しい方向で表示されるように、上記撮影画像データに対して画像回転処理を行う。このように、本発明では、再生時において、撮影画像データを表示する際には、当該撮影画像データが常に正しい方向（撮影画像を表示手段で表示して観察する使用者にとって確認しやすい方向）に表示されるように構成した。
これにより、例えば、撮影時に画像処理装置をほぼ９０度傾けて縦位置として撮影を行って得た撮影画像を、再生時に画像処理装置を元の横位置として画像処理装置背面に備えられた表示手段にて再生表示する場合、撮影画像が９０度回転されて表示手段に表示されるため、従来のように撮影画像の縦横が９０度異なるということはない。
【手続補正３２】
【補正対象書類名】明細書
【補正対象項目名】０３１６
【補正方法】変更
【補正の内容】
【０３１６】
また、記録媒体から読み込んだ画像を再生する際には、姿勢状態情報に応じて、読み込んだ画像を回転させて表示し、撮影直後所定時間の間、撮影した画像を表示状態にしておくクイックレビューの際には、姿勢状態情報に関わらず、画像を回転させずに表示するように構成した場合、処理の簡略化及び節電を図ることができ、撮影姿勢がかわらないため、ユーザが所望する撮影ができなかった場合等の撮りなおしをスムーズに行える。